(57)【特許請求の範囲】
【請求項１】
射出成形機本体に対して成形条件を与えることができると共に、射出成形機本体に備えられた各種センサからの検出信号を受けてデータとして記憶して射出成形機本体の各部を制御することができ、しかも公衆回線を通した通信機能を有する制御装置を備えた射出成形機と、前記制御装置とインターネットを介して接続可能なサーバとを含む通信システムに適用されるインターネットを用いた射出成形機用データ処理方法であって、
前記サーバは、統計処理プログラム、樹脂の流動解析プログラムのいずれかによるあらかじめ定められたプログラムによるデータ処理機能を有しており、
前記制御装置は、前記あらかじめ定められたプログラムをインストールしておらず、当該あらかじめ定められたプログラムによるデータ処理が必要な場合には、該データ処理に必要なデータを前記インターネットを介して前記サーバに送り、
前記サーバは、送られてきたデータを前記あらかじめ定められたプログラムによりデータ処理を行い、処理結果を前記インターネットを介して前記制御装置に送り返すようにしたことを特徴とするインターネットを用いた射出成形機用データ処理方法。
【請求項２】
射出成形機本体に対して成形条件を与えることができると共に、射出成形機本体に備えられた各種センサからの検出信号を受けてデータとして記憶して射出成形機本体の各部を制御することができ、しかも公衆回線を通した通信機能を有する制御装置を備えた射出成形機と、前記制御装置とインターネットを介して接続可能なサーバとを含む通信システムに適用されるインターネットを用いた射出成形機用データ処理方法であって、
前記射出成形機を複数台備えると共に、前記複数台の射出成形機本体に対して個別に成形条件を与える機能と各射出成形機本体に備えられた各種センサからの検出信号を受けてデータとして記憶する機能とを有して前記複数の射出成形機本体を群管理することができ、しかも公衆回線を通した通信機能を有する群管理装置を備え、
該群管理装置はインターネットを介して前記サーバと接続可能であり、
前記サーバは、統計処理プログラム、樹脂の流動解析プログラム、スケジュール処理プログラムのいずれかによる所定のプログラムによるデータ処理機能を有しており、
前記群管理装置は、前記所定のプログラムをインストールしておらず、当該所定のプログラムによるデータ処理が必要な場合には、該データ処理に必要なデータを前記インターネットを介して前記サーバに送り、
前記サーバは、送られてきたデータを前記所定のプログラムによりデータ処理を行い、処理結果を前記インターネットを介して前記群管理装置に送り返すようにしたことを特徴とするインターネットを用いた射出成形機用データ処理方法。
【請求項３】
統計処理プログラム、樹脂の流動解析プログラムのいずれかによるあらかじめ定められたプログラムによるデータ処理機能を有して送られてきたデータを前記あらかじめ定められたプログラムにより処理する機能を有するサーバと公衆回線を介して接続可能な制御装置を備えた射出成形機であって、
前記制御装置は、射出成形機本体に対して成形条件を与えることができると共に射出成形機本体における各種センサからの検出信号を受けてデータとして記憶して射出成形機本体の各部を制御することができ、
前記制御装置はまた、前記あらかじめ定められたプログラムをインストールしておらず、前記あらかじめ定められたプログラムによるデータ処理が必要な場合には、該データ処理に必要なデータをインターネットを介して前記サーバに送信すると共に、前記サーバにおいて前記インターネットを介して送られてきた前記データ処理に必要なデータを前記あらかじめ定められたプログラムによるデータ処理を行うことにより得られた処理結果を当該サーバから前記インターネットを介して受信することを特徴とする射出成形機。
【請求項４】
統計処理プログラム、樹脂の流動解析プログラムのいずれかによるあらかじめ定められたプログラムによるデータ処理機能を有したサーバであって、
該サーバは、射出成形機に備えられて射出成形機本体に対して成形条件を与えることができると共に射出成形機本体における各種センサからの検出信号を受けてデータとして記憶して射出成形機本体の各部を制御することができしかも前記あらかじめ定められたプログラムをインストールしていない制御装置と公衆回線を介して接続可能であって、前記制御装置からのデータをインターネットを介して受信すると共に、受信したデータを前記あらかじめ定められたプログラムによるデータ処理を行うことにより得た処理結果を前記インターネットを介して前記制御装置に送信することを特徴とするサーバ。
【発明の詳細な説明】
【０００１】
【発明の属する技術分野】
本発明は射出成形機におけるデータ処理方法に関し、特にインターネットを介してデータ処理を行う方法に関する。
【０００２】
【従来の技術】
射出成形機は、射出成形動作を実行する射出成形機本体と、この射出成形機本体に対してあらかじめ成形条件の設定動作を行うための制御装置とを備えている。制御装置は通常、パーソナルコンピュータで実現されている。また、射出成形機本体には、温度センサや圧力センサ、速度センサ等の多数のセンサが設けられている。制御装置はこれらの多数のセンサからの各種検出信号を受け、これらの検出信号を使用して射出成形機本体の各部を制御することにより成形条件に適合した成形品を得るための制御動作も行う。
【０００３】
制御装置はまた記憶装置を有し、成形条件として設定された各種設定値が記憶されると共に、多数のセンサからの各種検出信号のうち必要な信号が、ディジタルデータに変換されて記憶される。成形条件として設定され記憶装置に格納されている各種設定値は、成形条件をディスプレイにて表示させる場合や、成形条件の設定履歴をディスプレイにて表示させる場合等に使用される。一方、検出信号から得られたディジタルデータは、データロギングのためのロギングデータとして使用されたり、異常履歴の表示等のために使用される。
【０００４】
【発明が解決しようとする課題】
ところで、この種の射出成形機の販売に際しては、射出成形機本体と制御装置に加えて、統計処理プログラムや、樹脂の流動解析プログラム等のソフトウエアがあらかじめ制御装置内にインストールされた状態で納品される。勿論、このようなソフトウエアは有料であり、射出成形機の価格低減を妨げる一因ともなっている。
【０００５】
しかしながら、統計処理プログラムや、樹脂の流動解析プログラムは、射出成形機の運転において常に使用されるものではなく、射出成形機の最初の立ち上げ時や、異常発生時の原因解明時、更には大幅な保守点検を行った時に使用されるのが普通である。
【０００６】
そこで、本発明の課題は、統計処理プログラムや、樹脂の流動解析プログラム等のソフトウエアを制御装置内にインストールせずとも必要に応じて所望のプログラムを実行できるような射出成形機用のデータ処理方法を提供することにある。
【０００７】
【課題を解決するための手段】
本発明によるインターネットを用いた射出成形機用データ処理方法は、射出成形機本体に対して成形条件を与えることができると共に、射出成形機本体に備えられた各種センサからの検出信号を受けてデータとして記憶して射出成形機本体の各部を制御することができ、しかも公衆回線を通した通信機能を有する制御装置を備えた射出成形機と、前記制御装置とインターネットを介して接続可能なサーバとを含む通信システムに適用されるインターネットを用いた射出成形機用データ処理方法であって、前記サーバは、統計処理プログラム、樹脂の流動解析プログラムのいずれかによるあらかじめ定められたプログラムによるデータ処理機能を有しており、前記制御装置は、前記あらかじめ定められたプログラムをインストールしておらず、当該あらかじめ定められたプログラムによるデータ処理が必要な場合には、該データ処理に必要なデータを前記インターネットを介して前記サーバに送り、前記サーバは、送られてきたデータを前記あらかじめ定められたプログラムによりデータ処理を行い、処理結果を前記インターネットを介して前記制御装置に送り返すようにしたことを特徴とする。
【０００９】
本発明によればまた、射出成形機本体に対して成形条件を与えることができると共に、射出成形機本体に備えられた各種センサからの検出信号を受けてデータとして記憶して射出成形機本体の各部を制御することができ、しかも公衆回線を通した通信機能を有する制御装置を備えた射出成形機と、前記制御装置とインターネットを介して接続可能なサーバとを含む通信システムに適用されるインターネットを用いた射出成形機用データ処理方法であって、前記射出成形機を複数台備えると共に、前記複数台の射出成形機本体に対して個別に成形条件を与える機能と各射出成形機本体に備えられた各種センサからの検出信号を受けてデータとして記憶する機能とを有して前記複数の射出成形機本体を群管理することができ、しかも公衆回線を通した通信機能を有する群管理装置を備え、該群管理装置はインターネットを介して前記サーバと接続可能であり、前記サーバは、統計処理プログラム、樹脂の流動解析プログラム、スケジュール処理プログラムのいずれかによる所定のプログラムによるデータ処理機能を有しており、前記群管理装置は、前記所定のプログラムをインストールしておらず、当該所定のプログラムによるデータ処理が必要な場合には、該データ処理に必要なデータを前記インターネットを介して前記サーバに送り、前記サーバは、送られてきたデータを前記所定のプログラムによりデータ処理を行い、処理結果を前記インターネットを介して前記群管理装置に送り返すようにしたことを特徴とするインターネットを用いた射出成形機用データ処理方法が提供される。
【００１０】
本発明によれば更に、統計処理プログラム、樹脂の流動解析プログラムのいずれかによるあらかじめ定められたプログラムによるデータ処理機能を有して送られてきたデータを前記あらかじめ定められたプログラムにより処理する機能を有するサーバと公衆回線を介して接続可能な制御装置を備えた射出成形機であって、前記制御装置は、射出成形機本体に対して成形条件を与えることができると共に射出成形機本体における各種センサからの検出信号を受けてデータとして記憶して射出成形機本体の各部を制御することができ、前記制御装置はまた、前記あらかじめ定められたプログラムをインストールしておらず、前記あらかじめ定められたプログラムによるデータ処理が必要な場合には、該データ処理に必要なデータをインターネットを介して前記サーバに送信すると共に、前記サーバにおいて前記インターネットを介して送られてきた前記データ処理に必要なデータを前記あらかじめ定められたプログラムによるデータ処理を行うことにより得られた処理結果を当該サーバから前記インターネットを介して受信することを特徴とする射出成形機が提供される。本発明によれば更に、統計処理プログラム、樹脂の流動解析プログラムのいずれかによるあらかじめ定められたプログラムによるデータ処理機能を有したサーバであって、該サーバは、射出成形機に備えられて射出成形機本体に対して成形条件を与えることができると共に射出成形機本体における各種センサからの検出信号を受けてデータとして記憶して射出成形機本体の各部を制御することができしかも前記あらかじめ定められたプログラムをインストールしていない制御装置と公衆回線を介して接続可能であって、前記制御装置からのデータをインターネットを介して受信すると共に、受信したデータを前記あらかじめ定められたプログラムによるデータ処理を行うことにより得た処理結果を前記インターネットを介して前記制御装置に送信することを特徴とするサーバが提供される。
【００１１】
【発明の実施の形態】
図１、図を参照して、本発明の第１の実施の形態について説明する。図２において、前にも述べたように、射出成形機は射出成形動作を実行する射出成形機本体２１と、この射出成形機本体２１に対してあらかじめ成形条件の設定動作を行うための制御装置２２とを備えている。制御装置２２は、パーソナルコンピュータで実現されている。射出成形機本体２１には、周知のように、様々な部位における樹脂の温度を検出するための温度センサや、様々な部位における樹脂の圧力を検出するための圧力センサ、スクリュの速度を検出するための速度センサ等の多数のセンサが設けられている。制御装置２２はこれらの多数のセンサからの各種検出信号を受け、これらの検出信号を使用して射出成形機本体２１の各部、例えば射出装置や、スクリュ、型締装置等を制御することにより成形条件に適合した成形品を得るための制御動作をも行う。
【００１２】
制御装置２２はまた記憶装置（図示せず）を有し、成形条件として設定された各種設定値が記憶されると共に、多数のセンサからの各種検出信号のうち必要な信号が、ディジタルデータに変換されて記憶される。成形条件として設定され記憶装置に格納されている各種設定値は、成形条件をディスプレイ２２−１にて表示させる場合や、成形条件の設定履歴をディスプレイ２２−１にて表示させる場合等に使用される。一方、検出信号から得られたディジタルデータは、データロギングのためのロギングデータとして使用されたり、異常履歴のディスプレイ２２−１による表示等のために使用される。
【００１３】
本形態における制御装置２２は、統計処理プログラムや樹脂の流動解析プログラム等のソフトウエアをインストールしていない。代わりに、図１に示されるように、制御装置２２は公衆回線を使用したインターネット１０を介してサーバ１１と接続可能にされている。サーバ１１は、統計処理プログラムや樹脂の流動解析プログラム等のソフトウエアをインストールしたデータ処理装置１１−１を有している。サーバ１１は、射出成形機の製造メーカで実現されても良いし、サービス代行専門のサーバによって実現されても良い。
【００１４】
統計処理プログラムや樹脂の流動解析プログラムによるデータ処理が必要な場合には、ユーザが制御装置２２を操作してインターネット接続を起動すると共に、データ処理に必要なデータを記憶装置から読み出してインターネット１０を介してサーバ１１に送る。この場合、データ処理に必要なデータに加えてどのプログラムによるデータ処理を行うのかを示す要求データも送出する。
【００１５】
ここで、例えば要求データが樹脂の流動解析プログラムを示す場合、サーバ１１は、データ処理装置１１−１に対して樹脂の流動解析プログラムを起動させ送られてきたデータのデータ処理を実行させる。サーバ１１は、データ処理装置１１−１による樹脂の流動解析プログラムの処理結果をインターネット１０を介して制御装置２２に送り返す。
【００１６】
統計処理プログラムや樹脂の流動解析プログラム等のソフトウエアをインストールしていない制御装置２２のすべてを、インターネット１０を介してサーバ１１に接続可能にすることにより、制御装置２２は、いつでも必要に応じて上記のようなデータ処理サービスを受けることができる。
【００１７】
なお、サーバ１１では、アクセスしてきた制御装置２２に対してプログラム利用に対するサービス料金の課金を行う。この１回当たりのサービス料金は、統計処理プログラムや樹脂の流動解析プログラム等のソフトウエアの価格に比べればはるかに安価であるので、射出成形機の価格低減に寄与することができる。
【００１８】
次に、図３を参照して、本発明の第２の実施の形態について説明する。本形態は、第１の形態によるデータ処理方法を、複数の射出成形機本体に対する群管理機能を有する群管理装置３０に適用したものである。群管理装置３０は、周知のように、複数の射出成形機本体２１を生産性の面から管理する装置であり、各射出成形機本体２１と接続され、前に述べた制御装置２２と同様に、成形条件や各種センサから得られる検出信号の受け渡しを行い、生産状況の管理・計画を補助する。したがって、群管理装置３０もパーソナルコンピュータで実現される。但し、群管理装置３０は通常、各射出成形機に対する射出成形動作の制御機能は持たないが、パーソナルコンピュータの機能を拡張すれば制御機能を持たせることもできる。群管理装置３０はまた、制御装置２２と同様に、記憶装置（図示せず）を有し、成形条件として設定された各種設定値が記憶されると共に、多数のセンサからの各種検出信号のうち必要な信号が、ディジタルデータに変換されて記憶される。成形条件として設定され記憶装置に格納されている各種設定値は、射出成形機毎に成形条件をディスプレイ３０−１にて表示させる場合や、成形条件の設定履歴を射出成形機毎にディスプレイ３０−１にて表示させる場合等に使用される。一方、検出信号から得られたディジタルデータは、射出成形機毎にデータロギングのためのロギングデータとして使用されたり、異常履歴のディスプレイ３０−１による表示等のために使用される。
【００１９】
本形態における群管理装置３０も、統計処理プログラムや樹脂の流動解析プログラム、更にはスケジューラエンジンと呼ばれるようなスケジュールプログラム等のソフトウエアをインストールしていない。このため、図１において説明したように、群管理装置３０は公衆回線を使用したインターネット１０を介してサーバ１１と接続可能にされている。本形態におけるサーバ１１は、統計処理プログラムや樹脂の流動解析プログラム、スケジュールプログラム等のソフトウエアをインストールしたデータ処理装置１１−１を有している。サーバ１１は、射出成形機の製造メーカで実現されても良いし、サービス代行専門のサーバによって実現されても良い。
【００２０】
統計処理プログラムや樹脂の流動解析プログラムによるデータ処理、更にはスケジュールプログラムによるデータ処理が必要な場合には、ユーザが群管理装置３０を操作してインターネット接続を起動すると共に、データ処理に必要なデータを記憶装置から読み出してインターネット１０を介してサーバ１１に送る。勿論、データ処理に必要なデータに加えてどのプログラムによるデータ処理を行うのかを示す要求データも送出する。
【００２１】
ここで、例えば要求データが統計処理プログラムを示す場合、サーバ１１は、データ処理装置１１−１に対して統計処理プログラムを起動させ送られてきたデータのデータ処理を実行させる。サーバ１１は、データ処理装置１１−１による統計処理プログラムの処理結果をインターネット１０を介して群管理装置２２に送り返す。
【００２２】
統計処理プログラムや樹脂の流動解析プログラム、スケジュールプログラム等のソフトウエアをインストールしていない群管理装置３０のすべてを、インターネット１０を介してサーバ１１に接続可能にすることにより、群管理装置３０は、いつでも必要に応じて上記のようなデータ処理サービスを受けることができる。
【００２３】
サーバ１１では、第１の形態と同様、アクセスしてきた群管理装置３０に対してプログラム利用に対するサービス料金の課金を行う。この１回当たりのサービス料金は、統計処理プログラムや樹脂の流動解析プログラム、スケジュールプログラム等のソフトウエアの価格に比べればはるかに安価であるので、射出成形機の価格低減に寄与することができる。
【００２４】
【発明の効果】
本発明によれば、統計処理プログラムや、樹脂の流動解析プログラム等のソフトウエアを制御装置や群管理装置内にインストールせずとも必要に応じて所望のプログラムを実行できるような射出成形機用のデータ処理方法を提供することができ、これにより射出成形機の価格低減に寄与せしめることができる。
【図面の簡単な説明】
【図１】本発明が適用されるインターネット通信形態を説明するための図である。
【図２】本発明が適用される射出成形機の概略構成を示した図である。
【図３】本発明を群管理装置に適用する場合の構成を示した図である。
【符号の説明】
１０    インターネット
１１    サーバ
１１−１    データ処理装置
２１    射出成形機本体
２２    制御装置
２２−１、３０−１    ディスプレイ
３０    群管理装置
【図１】
0004121228.tif 000002
【図２】
0004121228.tif 000003
【図３】
0004121228.tif 000004